(57)【要約】【課題】乾燥室内の水分を吸い込まなく、吸気口の面積を広くすること。【解決手段】外部に向かって開口した挿入口から手を抜き差しできる乾燥室１と、前記乾燥室１の底部の水受け部２に向けて空気を送出するノズル部３と、前記ノズル部３から空気を送出するファンモータ４と、前記ファンモータ４を動作を制御する制御部５と、前記ノズル部からの空気を温風にするヒーター６と、前記ファンモータ４に空気を送出するための吸気口７を備えた本体に、前記吸気口を、乾燥室の一部と前記乾燥室の吸込口８を有した背面部１３に設けたことにより、乾燥室内の水分を吸い込まなく、吸気口の面積を広くできる手乾燥装置を提供できる。【選択図】図１
2008253590.tif 000002
【特許請求の範囲】
【請求項１】
外部に向かって開口した挿入口から手を抜き差しできる乾燥室と、前記乾燥室の底部の水受け部に向けて空気を送出するノズル部と、前記ノズル部から空気を送出させるファンモータと、前記ファンモータを動作を制御する制御部と、前記ノズル部からの空気を温風にするヒーターと、前記ファンモータに空気を送出するための吸気口を備えた本体に、前記吸気口を、乾燥室の一部と前記乾燥室の吸込口を有した背面部に設けたことを特徴とする手乾燥装置。
【請求項２】
吸込口は、本体の底面に設けたことを特徴とする請求項１記載の手簡素装置。
【請求項３】
吸込口は、本体の側面と背面に設けたことを特徴とする請求項１または２記載の手乾燥装置。
【請求項４】
吸込口から吸気した空気は、制御部を通過させる構成としたことを特徴とする請求項１記載の手乾燥装置。
【請求項５】
吸気口に、フィルターを設けたことを特徴とする請求項１記載の手乾燥装置。
【請求項６】
フィルターは、１枚のフィルターで構成したことを特徴とする請求項５記載の手乾燥装置。
【請求項７】
フィルターは、本体に対して垂直方向にスライドする構成としたことを特徴とする請求項１または６記載の手乾燥装置。
【請求項８】
フィルターに受け部を設け、受け部に不織布を取り付けたことを特徴とする請求項５〜７のいずれかに記載の手乾燥装置。
【請求項９】
フィルターに、アレルゲンを抑制する薬剤を塗布したことを特徴とする請求項５〜８のいずれかに記載の手乾燥装置。
【発明の詳細な説明】
【技術分野】
【０００１】
本発明は、洗面所やトイレなどで手を洗った後、濡れた手を乾燥させる手感想装置に関する。
【背景技術】
【０００２】
洗浄後の濡れた手を乾燥させる装置として、高速空気流により手に付着した水滴を吹き飛ばし乾燥させる手乾燥装置が知られている（例えば、特許文献１参照）。
【０００３】
以下、その手乾燥装置を図９を参照しながら説明する。
【０００４】
本体ケース１０１は、前面と天面と両側面とを覆うフロントケース１０１Ａと、壁面側を覆うリアケース１０１Ｂとによって外装を形成している。本体ケース１０１の内部には、送風手段１０２と、この送風手段１０２と連通し送風空気を吹き出す吹出しノズル１０３と、電装部品を制御する制御手段を設けている。送風手段１０２は、送風空気を発生させるブロアモータ１０２Ａと送風ケース１０２Ｂからなる。吹出しノズル１０３内の風路には送風空気を温風にする発熱手段１０４を設けている。本体ケース１０１の下面には、吹出しノズル１０３の吹出口と、送風空気を本体ケース１０１内部に取り込む吸込み口１０５と、この吸込み口１０５から吸い込まれる送風空気のほこりを除去するフィルター１０６が設けられている。
【特許文献１】国際公開第０２／０２８２５０号パンフレット
【発明の開示】
【発明が解決しようとする課題】
【０００５】
このような従来の手乾燥装置では、吸気口の面積を広くすると、乾燥室内の水分を多く吸い込んでしまうという課題がある。
【０００６】
本発明は、このような従来の課題を解決するものであり、乾燥室内の水分を吸い込まなく、吸気口の面積を広くする手乾燥装置を提供することを目的とする。
【課題を解決するための手段】
【０００７】
本発明の手乾燥装置は、上記目的を達成するために、外部に向かって開口した挿入口から手を抜き差しできる乾燥室と、前記乾燥室の底部の水受け部に向けて空気を送出するノズル部と、前記ノズル部から空気を送出させるファンモータと、前記ファンモータを動作を制御する制御部と、前記ノズル部からの空気を温風にするヒーターと、前記ファンモータに空気を送出するための吸気口を備えた本体に、前記吸気口を、乾燥室の一部と前記乾燥室の吸込口を有した背面部に設けたものである。
【０００８】
また、他の手段は、吸込口は、本体の底面に設けたものである。
【０００９】
また、他の手段は、吸込口は、本体の側面と背面に設けたものである。
【００１０】
また、他の手段は、吸込口から吸気した空気は、制御部を通過させる構成としたものである。
【００１１】
また、他の手段は、吸気口に、フィルターを設けたものである。
【００１２】
また、他の手段は、フィルターは、１枚のフィルターで構成したものである。
【００１３】
また、他の手段は、フィルターは、本体に対して垂直方向にスライドする構成としたものである。
【００１４】
また、他の手段は、フィルターに受け部を設け、受け部に不織布を取り付けたものである。
【００１５】
また、他の手段は、フィルターに、アレルゲンを抑制する薬剤を塗布したものである。
【発明の効果】
【００１６】
本発明によれば、外部に向かって開口した挿入口から手を抜き差しできる乾燥室と、前記乾燥室の底部の水受け部に向けて空気を送出するノズル部と、前記ノズル部から空気を送出させるファンモータと、前記ファンモータを動作を制御する制御部と、前記ノズル部からの空気を温風にするヒーターと、前記ファンモータに空気を送出するための吸気口を備えた本体に、前記吸気口を、乾燥室の一部と前記乾燥室の吸込口を有した背面部に設けたことにより、乾燥室内の水分を吸い込まなく、吸気口の面積を広くできるという効果のある手乾燥装置を提供することができる。
【００１７】
また、吸込口は、本体の底面に設けたことにより、吸気口を本体の下面に設けることにより、多くの吸気ができるとともに、本体下面の吸気口はモータから離れた位置にあるのでの騒音値を低減でき、乾燥室内の暖かい空気を吸い込むことでノズルからの風を早く温度上昇できるという効果のある手乾燥装置を提供することができる。
【００１８】
また、吸込口は、本体の側面と背面に設けたことにより、吸気口を本体の背面に設けることにより、多くの吸気ができるとともに、風路が本体背面にあるため音が漏れにくく騒音が低減でき、乾燥室内の暖かい空気を吸い込むことでノズルからの風を早く温度上昇できるという効果のある手乾燥装置を提供することができる。
【００１９】
また、吸込口から吸気した空気は、制御部を通過させる構成としたことにより、乾燥室の暖かい空気は直接モータへ送り、それ以外の部分からの空気は本体内部を冷却しながら熱交換し、暖かくなった空気をモータへ送り、ノズルからの風を早く温度上昇できるという効果のある手乾燥装置を提供することができる。
【００２０】
また、吸気口に、フィルターを設けたことにより、吸気する空気内に混合しているほこりを除去することができるという効果のある手乾燥装置を提供することができる。
【００２１】
また、フィルターは、１枚のフィルターで構成したことにより、２つの経路からの吸気を１枚のフィルターでほこりを除去できるのでコストが安く、メンテもしやすいという効果のある手乾燥装置を提供することができる。
【００２２】
また、フィルターは、本体に対して垂直方向にスライドする構成としたことにより、取り外しがスムーズで、メンテナンスが容易であるという効果のある手乾燥装置を提供することができる。
【００２３】
また、フィルターに受け部を設け、受け部に不織布を取り付けたことにより、フィルター部分が交換可能であるため、常にきれいな状態で使用でき、かつ、交換性も容易にできるという効果のある手乾燥装置を提供することができる。
【００２４】
また、フィルターに、アレルゲンを抑制する薬剤を塗布したことにより、本体内部の雑菌繁殖を抑え、ノズルから吹出す空気も清潔でトイレ空間を清潔に保てるという効果のある手乾燥装置を提供することができる。
【発明を実施するための最良の形態】
【００２５】
本発明の請求項１記載の手乾燥装置は、外部に向かって開口した挿入口から手を抜き差しできる乾燥室と、前記乾燥室の底部の水受け部に向けて空気を送出するノズル部と、前記ノズル部から空気を送出させるファンモータと、前記ファンモータを動作を制御する制御部と、前記ノズル部からの空気を温風にするヒーターと、前記ファンモータに空気を送出するための吸気口を備えた本体に、前記吸気口を、乾燥室の一部と前記乾燥室の吸込口を有した背面部に設けたこととしたものであり、乾燥室内の空気と乾燥室の背面部の空気を同時に吸気するという作用を有する。
【００２６】
また、吸込口は、本体の底面に設けたこととしたものであり、乾燥室内の空気と本体の底面から空気を同時に吸気するという作用を有する。
【００２７】
また、吸込口は、本体の側面と背面に設けたこととしたものであり、乾燥室内の空気と本体の側面と背面から空気を同時に吸気するという作用を有する。
【００２８】
また、吸込口から吸気した空気は、制御部を通過させる構成としたこととしたものであり、乾燥室から吸気した空気はファンモータへ送られ、それ以外の部分からの吸気した空気は本体内部を循環してモータへ送られるという作用を有する。
【００２９】
また、吸気口に、フィルターを設けたこととしたものであり、乾燥室の一部から吸気した空気と吸込口から吸気した空気は、フィルターを通過してファンモータへ流入するという作用を有する。
【００３０】
また、フィルターは、１枚のフィルターで構成したこととしたものであり、１枚のフィルターが、乾燥室の一部と背面部に設けた吸気口を一度に覆うという作用を有する。
【００３１】
また、フィルターは、本体に対して垂直方向にスライドする構成としたこととしたものであり、フィルターを本体正面から抜き差しするという作用を有する。
【００３２】
また、フィルターに受け部を設け、受け部に不織布を取り付けたこととしたものであり、フィルターの受け部から、不織布を取り出すという作用を有する。
【００３３】
また、フィルターに、アレルゲンを抑制する薬剤を塗布したこととしたものであり、フィルターを通過する空気は、アレルゲンを抑制させる薬剤に接触してファンモータへ送られるという作用を有する。
【００３４】
以下、本発明の実施の形態について、図面を参照しながら説明する。
【００３５】
（実施の形態１）
図１に示すように、外部に向かって開口した挿入口から手を抜き差しできる乾燥室１と、前記乾燥室１の底部の水受け部２に向けて空気を送出するノズル部３と、前記ノズル部３から空気を送出するファンモータ４と、前記ファンモータ４を動作を制御する制御部５と、前記ノズル部３からの空気を温風にするヒーター６と、前記ファンモータ４に空気を送出するための吸気口７を備えた本体に、前記吸気口７を、乾燥室１の一部と前記乾燥室１の吸込口８を有した背面部に設けた構成とする。
【００３６】
上記構成により、乾燥室１内の空気と乾燥室１の背面部１３の空気を同時に吸気する。
【００３７】
このように本発明の実施の形態１の手乾燥装置によれば、乾燥室１内の水分を吸い込まなく、吸気口７の面積を広くできることとなる。吸気口７から吸い込まれる空気は、ノズル部３から、ヒーター６により温められた空気となって乾燥室１に噴出されるため、室内の空気よりも温度が高く、循環することによって、更にヒーターで暖められ吹出風を急速に温度上昇させることができる。また、吸込口８からの空気は、本体の背面にあるため水分を含んでおらず、乾燥室１内の温度よりも若干温度が低いが、吸気口７に接しているため  その部分で熱交換され温風となる。このように、吸気口７と吸込口８の両方から空気が供給されることにより、ノズル部３より吹出す空気の風量が増し、風速もアップする。また乾燥室１内の循環風を利用することで、空気の温度上昇が早くなり、結果として乾燥性能が向上する。
【００３８】
（実施の形態２）
図２は、吸込口８を本体の底面に設けた構成とする。
【００３９】
上記構成により、乾燥室１内の空気と本体の底面から空気を同時に吸気する。
【００４０】
このように本発明の実施の形態２の手乾燥装置によれば、吸込口８を本体の下面に設けることにより、多くの吸気ができるとともに、本体下面の吸込口８はファンモータ４から離れた位置にあるのでの騒音値を低減できる。乾燥室１内の暖かい空気を吸い込むことでノズルからの風を早く温度上昇できることとなる。
【００４１】
（実施の形態３）
図３に示すように、吸込口８を、本体の側面と背面に設けた構成とする。
【００４２】
上記構成により、乾燥室１内の空気と本体の側面と背面から空気を同時に吸気する。
【００４３】
このように本発明の実施の形態３の手乾燥装置によれば、吸気口７を本体の背面に設けることにより、多くの吸気ができるとともに、風路が本体背面にあるため音が漏れにくく騒音が低減でき、乾燥室１内の暖かい空気を吸い込むことでノズルからの風を早く温度上昇できることとなる。
【００４４】
（実施の形態４）
図４に示すように、吸込口８から吸気した空気を、制御部５を通過させる構成とする。
【００４５】
上記構成により、乾燥室１から吸気した空気はファンモータ４へ送られ、それ以外の部分からの吸気した空気は本体内部を循環してモータへ送られる。制御部５は本体を制御する際に電子部品が発熱するため冷却を必要とする。そこで、吸込口８からの水分を含まない空気を背面から吸い込み、その空気を制御部５へ通過させることで、制御部５を冷却し、かつ熱交換し温かくなった空気をファンモータ４へ送る。また吸気口７からの乾燥室１内の暖かい空気は直接ファンモータへ送られる。
【００４６】
このように、本発明の実施の形態４の手乾燥装置によれば、吸気口７と吸込口８の両方から空気が供給されることにより、ノズル部３より吹出す空気の風量が増し、風速もアップする。また乾燥室内の循環風を利用することで、空気の温度上昇が早くなり、結果として乾燥性能も向上する。また、制御部５が冷却させることで、電子部品の寿命も向上し、本体内部の温度も低くなるため  より安全な手乾燥装置を供給できる。
【００４７】
（実施の形態５）
図５に示すように、吸気口および吸込口に、フィルター９を設けた構成とする。
【００４８】
上記構成により、乾燥室１の一部から吸気した空気と吸込口８から吸気した空気は、フィルター９を通過してファンモータへ流入する。  通常、トイレは多数の使用者がいるためトイレ内の空気には微細な塵やほこりなど含んでいる場合があるが、このように本発明の実施の形態３の手乾燥装置によれば、吸気する空気内に混合している塵やほこりなどを除去することができることとなる。
【００４９】
また、図６に示すように、フィルター９を、乾燥室１の吸気口７と吸込口８の背面に各々１枚ずつ設けるのではなく、１枚のフィルター９で構成とすることにより、１枚のフィルター９が、乾燥室１の一部と背面部に設けた吸気口７を一度に覆う。このように２つの経路からの吸気を１枚のフィルターでほこりを除去できるので、部品点数が少なくコストも安く、メンテもしやすいこととなる。
【００５０】
また、図７に示すようにフィルターを、本体に対して垂直方向にスライドする構成とし、フィルターを本体正面から抜き差しすることで、取り外しがスムーズで、メンテナンスが容易な手乾燥装置となる。
【００５１】
また、プレフィルター受け部１０にフィルターを設け、プレフィルター受け部１０に不織布１１を取り付けた構成とする。
【００５２】
上記構成により、プレフィルターの受け部１０から、不織布１１を取り出す。
【００５３】
また、フィルターに、アレルゲンを抑制する薬剤１２を塗布した構成とする。
【００５４】
上記構成により、フィルターを通過する空気は、アレルゲンを抑制させる薬剤１２に接触してファンモータ４へ送られる。
【００５５】
このように本発明の実施の形態５の手乾燥装置によれば、フィルター部分が不織布１１で構成されるため交換可能となり、常にきれいな状態で使用でき、交換性も容易で、かつ不織布１１の目の粗さを調整することで、環境に応じた適切なフィルターを選択することができることとなる。
【００５６】
また、本体内部の雑菌繁殖を抑え、ノズル部３から吹出す空気も清潔でトイレ空間を清潔に保てることとなる。
【産業上の利用可能性】
【００５７】
本発明の手乾燥装置は、レストランやホテルなどの洗面所やトイレに設置され、また病院や手術室や調理場においても適用できる。
【図面の簡単な説明】
【００５８】
【図１】本発明の実施の形態１の手乾燥装置の側構成図
【図２】本発明の実施の形態２の手乾燥装置の吸気口を底面に設けた側構成図
【図３】本発明の実施の形態３の手乾燥装置の吸気口を側面と背面に設けた斜視図
【図４】本発明の実施の形態４の手乾燥装置の内部正面図
【図５】本発明の実施の形態５の手乾燥装置の乾燥室上面図
【図６】同手乾燥装置のフィルター取付け図（（ａ）手乾燥装置の斜視図、（ｂ）手乾燥装置の側構成図）
【図７】同手乾燥装置の不織布のプレフィルター受け部の斜視図
【図８】同手乾燥装置のフィルターの斜視図
【図９】従来の手乾燥装置を示す側構成図
【符号の説明】
【００５９】
１    乾燥室
２    水受け部
３    ノズル部
４    ファンモータ
５    制御部
６    ヒーター
７    吸気口
８    吸込口
１３  背面部
【図１】
2008253590.tif 000003
【図２】
2008253590.tif 000004
【図３】
2008253590.tif 000005
【図４】
2008253590.tif 000006
【図５】
2008253590.tif 000007
【図６】
2008253590.tif 000008
【図７】
2008253590.tif 000009
【図８】
2008253590.tif 000010
【図９】
2008253590.tif 000011